(57)【要約】  本発明では、モバイルブロードバンドデバイスの充電および使用のためのシステムを提供し、有用な空間の邪魔にならないようにしつつデバイスを視覚的にアクセス可能に保つ。当該システムのユーザは、キャビネット下に装着されたモバイルブロードバンドデバイスのすべての操作ができる。本発明では、自動巻き戻し装置への充電ケーブルを巻き取る、モバイルブロードバンドデバイス用の充電ケーブルの編成と使用のための巻き戻しアセンブリを利用する。
2019537922.tif 000002
【特許請求の範囲】
【請求項１】
モバイルブロードバンドデバイスの電力コードのすっきりした状態を維持する、前記モバイルブロードバンドデバイスのための使用および充電システムであって、前記使用および充電システムは、
内側平行面を有するシステム収納部であって、開閉可能である収納部と、
棚の下面に前記収納部を装着する手段と、
上棚前部を有する上棚であって、前記上棚前部は縁部を含む、上棚と、
下棚前部を有する下棚であって、前記下棚前部は縁部を含む、下棚と、
システム電力ケーブル巻き戻し部と、
前記収納部が開いた状態または閉じた状態の間に、前記下棚および前記上棚の厚みを減らす手段と、
電源分配ブロックと、
少なくとも一つのケーブル巻き戻しアセンブリと、
マルチポート電源分配ブロックから前記モバイルブロードバンドデバイスに電力を供給する手段と、
を備え、
前記ケーブル巻き戻し部は前記下棚に装着され、
前記充電コードの一端は前記電源分配ブロックに接続され、他端は前記モバイルブロードバンドデバイスに接続され、
前記ケーブル巻き戻し部は、さらに前記収納部が開いた状態または閉じた状態の間に前記マルチポート電源分配ブロックより前記モバイルブロードバンドデバイスまで電力を供給する前記手段において張力を保持し、
前記モバイルブロードバンドデバイスは、前記収納部が開いている間に、ユーザが視覚的にアクセス可能である
モバイルブロードバンドデバイス使用および充電システム。
【請求項２】
前記電源分配ブロックより前記モバイルブロードバンドデバイスに電力を供給する前記手段は、前記ケーブル巻き戻し部に装着された充電コードであって、前記充電コードの一端は前記電源分配ブロックに接続され、他端は前記モバイルブロードバンドデバイスに接続されている
請求項１に記載の使用および充電システム。
【請求項３】
前記ケーブル巻き戻しアセンブリは、上側スプールフランジ部と、下側スプールフランジ部と、スタックと、ネジとを備え、
前記上側スプールフランジ部および前記下側スプールフランジ部は前記ネジを介してまとめて固定され、
前記ケーブル巻き戻しアセンブリは、前記モバイルブロードバンドデバイスに電力を供給するために、巻かれていないケーブルの長さが最も短くなるようにケーブルを適切な長さに巻く手段を提供する
請求項２に記載の使用および充電システム。
【請求項４】
前記電源分配ブロックは、マルチポートユニバーサル・シリアル・バス・ハブである
請求項３に記載の使用および充電システム。
【請求項５】
前記スタックは、
上部グロメットと、充電ケーブル用ハーフスプールと、中央スプールフランジ部と、ラチェットホイールをさらに含む巻き戻しばね収納部と、ウェーブディスクスプリングと、ストリングと、ストリングスプールと、および下部グロメットと、
を有し、
前記巻き戻しばね収納部は、
ばね鋼巻き戻し部および巻き戻しばね、ストリング引き手、プランジャ、爪、爪マウント、スター・ホイール、トーションマウント、ユニバーサル・サービス・バスレセプタクル、およびユニバーサル・シリアル・バスケーブルをさらに含み、
前記ストリングは前記ストリングスプールの周りに巻き付けられ、
前記巻き戻しばね収納部は前記ばね鋼巻き戻し部を収納し、
前記巻き戻し線は前記ストリングスプールの周りに巻き付けられ、
前記ストリング引き手は前記ストリングのユーザ側の端部に取り付けられ、
前記プランジャは、前記ウェーブディスクスプリングを加圧し、前記ストリングスプールを前記巻き戻しばね収納部と係合させ、前記ストリングスプールと前記巻き戻しばね収納部の同時に回転させることができ、
前記爪は前記爪マウントに装着され、トーションばねは前記スター・ホイールに対してラチェットするために前記爪における張力を保持して、前記爪をロックさせることができ、
ロックされた前記爪は、前記巻き戻しばね収納部の前記ラチェットホイールの複数の歯を係合させ、
モバイルブロードバンドデバイス充電コードはユニバーサル・シリアル・バスレセプタクル内に差し込まれ、
前記ユニバーサル・シリアル・バスケーブルは、一端で前記ユニバーサル・シリアル・バスレセプタクルの裏側に接続され、他端で環境電源に接続されており、
前記ユニバーサル・シリアル・バスケーブルは前記上部グロメットを通って延出し、
前記下部グロメットは前記スタックの底部の回転を収容する
請求項３に記載の使用および充電システム。
【請求項６】
前記下棚および前記上棚の厚みを減らす前記手段は、
一対のスリーブベアリングガイドレールと、一対のスリーブベアリングキャリッジと、一対のキャリッジスペーサと、第１端部、第２端部、中央部をそれぞれ有する４つの支持アームと、旋回アームと、２つの支持体ブラケットと、少なくとも一つの巻き戻しピンと、締付けノブと、スプリングとを有し、
各スリーブベアリングガイドレールは前記システム収納部の前記内側平行面に装着されており、
各スリーブベアリングキャリッジは前記各スリーブベアリングガイドレールに装着されており、
各旋回アームの前記第１端部はスリーブベアリングガイドレールに接続され、
各旋回アームの前記第２端部は前記上棚に接続され、各旋回アームの前記中央部は前記下棚に接続され、
前記旋回アームは２対になるように配置され、各対の旋回アームは前記支持アームの旋回ブラケットに接続されており、
前記上棚前部の縁部は、前記モバイルブロードバンドデバイスが前記上棚前部に対して載ることを可能にして、
前記少なくとも一つの巻き戻しピンは前記下棚に装着されており、
前記締付けノブおよび前記スプリングは、前記下棚に装着されており、
前記ケーブル巻き戻し部は、さらに前記スリーブベアリングキャリッジが前記スリーブベアリングガイドレールに沿ってスライドしている間、前記充電コードにおける張力を保持する
請求項５に記載の使用および充電システム。
【請求項７】
前記収納部を装着する前記手段は、装着孔と、ボルト止めと、テーピングと、接着剤と、ベルクロ（登録商標）と、ブラケットと、前記ユーザが装着、装着解除、そして再装着できる接着剤とからなる群からより選択される
請求項６に記載の使用および電力システム。
【請求項８】
前記収納部は、
射出成形プラスチック、木、アクリロニトリルブタジエンスチレン、アルミニウム、合板、金属、ポリマー、または環境に優しい材料で構成される
請求項７に記載の使用および電力システム。
【請求項９】
前記上棚は、
射出成形プラスチック、木、アクリロニトリルブタジエンスチレン、アルミニウム、合板、金属、ポリマー、または環境に優しい材料
で構成され、
前記下棚は、
射出成形プラスチック、木、アクリロニトリルブタジエンスチレン、アルミニウム、合板、金属、ポリマー、または環境に優しい材料
で構成される
請求項７に記載の使用および電力システム。
【請求項１０】
前記システム収納部は、
約１．２５インチ（３．１７５センチメートル）の高さ、約１０．３７５インチ（２６．３５２５センチメートル）の長さ、また約９．５インチ（２４．１３センチメートル）の幅を有する
請求項６に記載の使用および電力システム。
【請求項１１】
前記下棚は約０．０４０インチ（０．１０１６センチメートル）の厚さ、約８インチ（２０．３２センチメートル）の長さ、および約８インチ（２０．３２センチメートル）の幅を有し、
前記上棚は約０．０４０インチ（０．１０１６センチメートル）の厚さ、約８インチ（２０．３２センチメートル）の長さ、および約８インチ（２０．３２センチメートル）の幅を有する
請求項１０に記載の使用および電力システム。
【請求項１２】
前記装着する手段は、再利用可能な接着剤である
請求項６に記載の使用および電力システム。
【請求項１３】
前記電源分配ブロックから前記モバイルブロードバンドデバイスに電力を供給する前記手段は、
無線充電器ケーブルおよび無線充電器であって、
前記無線充電器ケーブルは、前記ケーブル巻き戻し部に装着されており、
前記無線充電器ケーブルは、一端が前記電源分配ブロックに接続され、他端が前記無線充電器に接続されており、
前記モバイルブロードバンドデバイスは、前記無線充電器の上面に載っている
請求項１に記載の使用および充電システム。
【請求項１４】
前記電源分配ブロックから前記モバイルブロードバンドデバイスへ電力を供給する前記手段は、
充電バーと、取り外し可能／旋回端部と、ＵＳＢ  ｔｏ  ＵＳＢケーブルと
を有し、
前記ＵＳＢ  ｔｏ  ＵＳＢケーブルは、一端が前記電源分配ブロックに接続され、他端が前記充電バーに接続されており、前記充電バーは前記上棚に装着され、前記取り外し可能／旋回端部は前記充電バーに挿入され、前記モバイルブロードバンドデバイスは前記取り外し可能／旋回端部に接続される
請求項１に記載の使用および充電システム。
【請求項１５】
モバイルブロードバンドデバイスで使用するためのケーブル巻き戻しアセンブリであって、前記ケーブル巻き戻しアセンブリは、
上側スプールフランジ部と、下側スプールフランジ部と、スタックと、ネジと
を備え、
前記上側スプールフランジ部および前記下側スプールフランジ部は前記ネジを介して共に固定され、
前記ケーブル巻き戻しアセンブリは、前記モバイルブロードバンドデバイスに電力を供給するために、巻かれていないケーブルの長さが最も短くなるようにケーブルを適切な長さに巻く手段を提供する
ケーブル巻き戻しアセンブリ。
【請求項１６】
上側スプールフランジ部と、下側スプールフランジ部と、ネジとをさらに備えるケーブル巻き戻しアセンブリであって、
前記上側スプールフランジ部および前記下側スプールフランジ部は、前記ネジを介して共に固定され、前記ケーブル巻き戻しアセンブリはスタックをさらに備え、
前記スタックは、
上部グロメットと、充電ケーブル用ハーフスプールと、中央スプールフランジ部と、ラチェットホイールをさらに含む巻き戻しばね収納部と、ウェーブディスクスプリングと、ストリングと、ストリングスプールと、および下部グロメットと、
を有し、
前記巻き戻しばね収納部は、
ばね鋼巻き戻し部および巻き戻しばね、ストリング引き手、プランジャ、爪、爪マウント、スター・ホイール、トーションマウント、ユニバーサル・サービス・バスレセプタクル、およびユニバーサル・シリアル・バスケーブルをさらに含み、
前記ストリングは前記ストリングスプールの周りに巻き付けられ、
前記巻き戻しばね収納部は前記ばね鋼巻き戻し部を収納し、
前記巻き戻し線は前記ストリングスプールの周りに巻き付けられ、
前記ストリング引き手は前記ストリングのユーザ側の端部に取り付けられ、
前記プランジャは、前記ウェーブディスクスプリングを加圧し、前記ストリングスプールを前記巻き戻しばね収納部と係合させ、前記ストリングスプールと前記巻き戻しばね収納部の同時に回転させることができ、
前記爪は前記爪マウントに装着され、トーションばねは前記スター・ホイールに対してラチェットするために前記爪における張力を保持して、前記爪をロックさせることができ、
ロックされた前記爪は、前記巻き戻しばね収納部の前記ラチェットホイールの複数の歯を係合させ、
モバイルブロードバンドデバイス充電コードはユニバーサル・シリアル・バスレセプタクル内に差し込まれ、
前記ユニバーサル・シリアル・バスケーブルは、一端で前記ユニバーサル・シリアル・バスレセプタクルの裏側に接続され、他端で環境電源に接続されており、
前記ユニバーサル・シリアル・バスケーブルは前記上部グロメットを通って延出し、
前記下部グロメットは前記スタックの底部の回転を収容する
請求項１５に記載のケーブル巻き戻しアセンブリ。
【請求項１７】
前記上側スプールフランジ部は約３インチ（７．６２センチメートル）の直径で、前記下側スプールフランジ部は約３インチ（７．６２センチメートル）の直径で、また前記ケーブル巻き戻しアセンブリの高さは約０．７３インチ（１．８５４２センチメートル）の厚さである
請求項１６に記載のケーブル巻き戻しアセンブリ。
【請求項１８】
前記ユニバーサル・シリアル・バスケーブルは前記上側スプールフランジ部の側面を通って延出する
請求項１６に記載のケーブル巻き戻しアセンブリ。
【請求項１９】
上側スプールフランジ部と、下側スプールフランジ部と、スタックと、ネジとを備えるコード巻き戻しアセンブリであって、
前記上側スプールフランジ部および前記下側スプールフランジ部が前記ネジを介して共に固定されており、
前記コード巻き戻しアセンブリは、ユーザが選択した長さにコードを巻く手段を提供する
コード巻き戻しアセンブリ。
【請求項２０】
上側スプールフランジ部と、下側スプールフランジ部と、ネジとをさらに備え、
前記上側スプールフランジ部および前記下側スプールフランジ部は前記ネジを介して互いに固定されており、
前記コード巻き戻しアセンブリはスタックをさらに備え、
前記スタックは、
上部グロメットと、充電ケーブル用ハーフスプールと、中央スプールフランジ部と、ラチェットホイールをさらに含む巻き戻しばね収納部と、ウェーブディスクスプリングと、ストリングと、ストリングスプールと、および下部グロメットと、
を有し、
前記巻き戻しばね収納部は、
ばね鋼巻き戻し部および巻き戻しばね、ストリング引き手、プランジャ、爪、爪マウント、スター・ホイール、トーションマウント、ユニバーサル・サービス・バスレセプタクル、およびユニバーサル・シリアル・バスケーブルをさらに含み、
前記ストリングは前記ストリングスプールの周りに巻き付けられ、
前記巻き戻しばね収納部は前記ばね鋼巻き戻し部を収納し、
前記巻き戻し線は前記ストリングスプールの周りに巻き付けられ、
前記ストリング引き手は前記ストリングのユーザ側の端部に取り付けられ、
前記プランジャは、前記ウェーブディスクスプリングを加圧し、前記ストリングスプールを前記巻き戻しばね収納部と係合させ、前記ストリングスプールと前記巻き戻しばね収納部の同時に回転させることができ、
前記爪は前記爪マウントに装着され、トーションばねは前記スター・ホイールに対してラチェットするために前記爪における張力を保持して、前記爪をロックさせることができ、
ロックされた前記爪は、前記巻き戻しばね収納部の前記ラチェットホイールの複数の歯を係合させ、
モバイルブロードバンドデバイス充電コードはユニバーサル・シリアル・バスレセプタクル内に差し込まれ、
前記ユニバーサル・シリアル・バスケーブルは、一端で前記ユニバーサル・シリアル・バスレセプタクルの裏側に接続され、他端で環境電源に接続されており、
前記ユニバーサル・シリアル・バスケーブルは前記上部グロメットを通って延出し、
前記下部グロメットは前記スタックの底部の回転を収容する
請求項１８に記載のコード巻き戻しアセンブリ。
【発明の詳細な説明】
【技術分野】
【０００１】
本発明は、専用の非侵略的空間において完全に視覚的また音声的にアクセス可能でありながら充電することができるモバイルブロードバンドデバイスの日常的な使用のための編成システムに関する。
【背景技術】
【０００２】
スマートフォン、タブレット、携帯情報端末（ＰＤＡ）等を含むモバイルブロードバンドデバイスは、現代社会のあらゆる場所にある。無数のアプリケーションの幅広い導入は、デバイスのユーザが仮想的にインターネットに接続された状態を維持するように依存させた。この依存の多くは、これらのデバイスのユーザによって視覚的に満足され、それによりユーザデバイススクリーンとの常に視覚的接触をとる必要を生み出している。ユーザがインターネットや他のデータソースへの最も満足できる連結性を維持することを望んでいるので、最適な解決策は常時アクセス可能であることを必要とする。これはデバイスが手に届く範囲にあることが必要となり、必然的に、同じ空間について他のものと競合することになる。
【０００３】
これは、空間において邪魔にならずに、モバイルブロードバンドデバイスへの視覚的アクセス可能性を提供するシステムに対する必要性を生み出した。このような高レベルのアクセス可能性を得るために、これらのデバイスが必要とする頻繁な充電をシステムに組み込む必要がある。重要な問題は、コード管理の必要性である。本質的にシステムは視覚的にアクセス可能であるため、編成や審美的価値には強い考慮が要求される。これは、見栄えが悪く扱いにくいコードの除去、および安全性の問題を含む。
【０００４】
モバイル電子デバイスの充電および格納用システムは現在の技術で入手可能である。これらのシステムはデバイスを充電している間にコードがほどけることを防ぎ容易な格納を提供し得るが、いくつかのユーザからの要求は依然として満たされないままである。
【０００５】
米国特許第７，８６８，２５０号（電子デバイスの電源およびコード管理装置）に説明されているような装置は、充電中に電子デバイスを配置するための表面と、デバイスのコードを手動で巻くためのブラケットとを提供する。しかしながら、当該装置はデバイスのユーザがコードの容易な伸長および後退ができるようにはしない。例えば、ユーザは、棚全体を運ぶことなく、またはスマートフォンの動作が停止し得るスマートフォンのプラグを抜くことなく、充電を必要とするスマートフォンを拾いあげて使用することができない。
【０００６】
本発明の目的は、通常の動作中にデバイス充電コードを容易に巻いたりほどいたりすることを可能にして、それによって使用中にも継続的に充電を可能にし、コードの絡まりを防止することがこの限定を克服することである。
【０００７】
更に、電子デバイスを引き出しやキャリングケースに置くシステムが開発された。例えば、米国特許出願第１１／６５３，４６０号（複数の家庭用電子充電区画用コンテナ）である。このキャリングケースをカウンタートップの上に配置することはできるが、カウンタートップの使用の方向転換を表すため、カウンタートップの混雑が明らかに減ることはないであろう。本発明は、このカウンタートップの混雑を、専用の非侵略的空間において完全に視覚的にアクセス可能としつつもデバイスの充電を維持することで、克服する。
【０００８】
他では机やナイトスタンド等の家具に引き出しを設けることで審美的問題の克服を試みた。例えば、米国特許出願第１４／４７８，４９５号（メディア引出し）。この解決策は、家具を含めることを必要とする侵害的な空間で充電することを要求する。モバイルブロードバンドデバイスへの視覚的アクセス可能性は、家具の種類や設計により制限される。充電コードの審美的要素は、メディア引出しの前面を閉めることにより調節される。本発明は、これらの限定に直面しない。
【０００９】
他の材料に対しても、コードを整理してコンパクトに保つという同じ問題がある。ケーブル巻き戻しアセンブリは、同様の特性を有する様々な材料と共に使用されてよいことが証明されるであろう。材料は、線材、ケーブル、ホース、ロープ等の巻付性を持つ物体で、使用中に多様な長さで容易にまた簡単に配備および後退される必要があるという特性を有する。
【発明の概要】
【００１０】
本発明の目的は、スマートフォン、タブレット、携帯情報端末（ＰＤＡ）等を含むモバイルブロードバンドデバイスの充電および使用のためのシステムを提供し、有用な空間の邪魔にならないようにしつつデバイスに容易にアクセス可能な状態を維持することである。当該システムのユーザは、キャビネット下に装着されたモバイルブロードバンドデバイスのすべての操作ができる。本発明の１つの好ましい実施形態において、当該システムは上部キッチンキャビネットの下側に設置される。ユーザは、調整可能な棚アセンブリの上にモバイルブロードバンドデバイスを配置し、デバイスが充電中または完全に充電されている間、デバイスの全機能へのアクセスを維持する。キャビネット下のモバイルブロードバンドデバイス用の充電および使用システムは、複数のブロードバンドデバイスを収容するためのサイズでよく、当該複数のブロードバンドデバイスは単独または一度に複数のいずれかで充電することができる。
【００１１】
図１Ａおよび図１Ｂによると、キャビネット下のモバイルブロードバンドデバイス用の充電および使用システム１００が図示されている。本発明の形成および使用の方法の詳細は、本明細書において後で提供されるであろう。本発明は、先行技術において利用可能なシステムに対するいくつかの利点を提供する。システムはキャビネットや棚等の下側に装着されるため、カウンタートップおよびデスクトップなどの下方の面上の空間を占有しない。空間が貴重な部屋の場合、これは大きな利点である。システムはまた、部屋の装飾および必要／使用が変化すると、簡単に設置、除去、および配置換えができてよく、これらの変化を容易に受け入れてよい。
【００１２】
追加の利点は、システムが使用中でない際にはキャビネット下や同様の装着の場合に標準的な視野角からは見えない、システムの目立たない魅力的で調整可能な充電棚を含む。システムは、システムが配備された時に、ユーザが快適で人間工学的に優しい視野角からデバイスを見て使用することができるように、水平方向に且つ角度をつけて調整可能である。システムは、充電中のデバイスの使用を可能にして、通常は標準的な電源コンセントのレセプタクルに接続される単一電力コードを除いたすべてのデバイス用コードを絡まずにユーザから見えないようにする。（この電力コードもまた、ユーザの視野から任意に除去されて良い）簡単に、都合よくまた直感的に電力コードを絡まずに、見えないよう保つことができるこの能力は、現在の技術の他のデバイスに対して重要な進歩である。
【００１３】
システムは、異なる寸法（厚さ、幅、高さ）を有し得る電話やタブレットなど様々な種類のデバイスを含む複数のデバイスをさらに収容する。
【００１４】
システムは、デバイスの使用中にデバイスを充電するためにはユーザが単に誘導充電パッドの上にデバイスを置くだけで良い誘導充電パッド等と共に使用するように構成されてよい。
【００１５】
システムは、その代わりに、ユーザが簡便な角度まで端部を調整できるように、角度をつけて調整可能な端部を備える充電バーを使用し、端部にモバイルブロードバンドデバイスを取り付けるように構成されてよい。システムにデバイスが配置されると、端部は、デバイスがシステムの上棚に載るように調整して、デバイススクリーンへの簡便な視覚的アクセスを提供する。
【００１６】
スマートフォン、タブレット、ＰＤＡ等を含むモバイルブロードバンドデバイス用の充電ケーブルの編成と使用のためのシステムで使用される巻き戻しアセンブリは、自動巻き戻し装置への充電ケーブル巻きとりを提供する。中央部より水平方向または垂直方向に整列されるように、または外側の縁部より延出するモバイルブロードバンドデバイスのコネクタを有するように構成することができる。一旦巻き付けられると、ユーザは充電電源とモバイルブロードバンドデバイスの間を接続することができる。ユーザは、モバイルブロードバンドデバイスへの接続用の充電ケーブルの長さをほどくことやロックすることができ、充電の間にデバイスの全機能へのアクセスを保持する。
【００１７】
巻き戻しアセンブリは、キャビネット下のモバイルブロードバンドデバイス用の充電および使用システム以外に使用できるということが証明されるであろう。１つの使用モードは、キッチンカウンターまたはオフィスのデスクなどの専用の空間における電源に接続することである。他の使用モードは、スマートフォンやＭＰ３プレーヤー等のデバイスに聴くためのヘッドフォンを接続することである。
【００１８】
巻き戻しアセンブリは、デバイス固有のコネクタ付きケーブルを含む、保有している任意の長さの専用充電ケーブルを装填する能力を含む現在使用されている巻き戻しアセンブリに対していくつかの特有の利点を有する。例えば、巻き戻しアセンブリは、ＵＳＢＴｙｐｅ−Ａなどの一般的に使用されるコネクタを一端に、Ａｍａｚｏｎ．ＣＯＭで入手可能なアップル（登録商標）ＭＤ８１８ＡＭ／Ａ  Ｌｉｇｈｔｎｉｎｇ  ｔｏＵＳＢケーブル等のデバイス固有のコネクタを他端に組み込むことができる。
【００１９】
巻き戻しアセンブリの他の利点は、片側でのみ伸長および後退することで、そのため衣類のポケット等の固定位置に留まることができる。これにより、ロックされた時に長さの制御が可能になり、絡まる可能性が減少する。
【００２０】
この巻き戻しアセンブリは、任意のモバイルデバイスおよびブロードバンドと共に使用され、またそうでなければ専用のまたはモバイル位置でも使用されてよい。巻き戻しアセンブリはモバイルブロードバンドデバイスの充電以外の使用のために、ケーブル、およびホース、チェーン、線材、配管等の巻付性を有する他の材料を巻き戻すためにさらに使用されてよい。
【図面の簡単な説明】
【００２１】
本発明の複数の実施形態では、以下の複数の図面を言及することにより説明され、同じ符号は同じ要素を指す。
【００２２】
【図１Ａ】動作中の本発明による充電および使用システムの前面を図示し、その一般的な特徴を示す立面図である。
【図１Ｂ】後退位置における図１Ａの充電および使用システムの前面を図示する立面図である。
【図２Ａ】キッチン作業における使用による図１Ａの充電および使用システムを図示し、その一般的な特徴を示す環境斜視図である。
【図２Ｂ】後退位置でのキッチン作業における使用による図１Ａの充電および使用システムを図示する環境斜視図である。
【図２Ｃ】後退位置における充電および使用システムを図示する、カウンタートップの高さより下方からのキッチン作業における使用による図１Ａの充電および使用システムを図示する環境斜視図である。
【図３Ａ】キッチン作業における使用による図１Ａ充電および使用システムを図示する環境斜視図であって、デバイススクリーンまでの視線を示す。
【図３Ｂ】キッチン作業における使用による図１Ａの充電および使用システムを図示し、システムが後退したデバイススクリーンまでの視線を示す環境斜視図である。
【図４】開放位置における本発明の第１実施形態を図示する斜視図である。
【図５】開放位置における図４の実施形態を図示する詳細分解斜視図である。
【図６】上棚および巻き戻しアセンブリが除去された開放位置における図４の実施形態を図示す斜視図である。
【図７】２つのより小さいブロードバンドデバイスのうちの１つが使用のために除去された開放位置における図４の実施形態を図示する斜視図である。
【図８】１つのより大きいブロードバンドデバイスと共に開放位置における図４の実施形態を図示する斜視図である。
【図９】開放位置における本発明の第２の実施形態を図示する斜視図である。
【図１０】開放位置における図９の実施形態を図示する詳細分解斜視図である。
【図１１】２つのより小さいブロードバンドデバイスと共に開放位置における図９の実施形態を図示する斜視図である。
【図１２】上棚の図９の実施形態を図示する詳細分解斜視図である。
【図１３】開放位置における本発明の第３の実施形態を図示する斜視図である。
【図１４】開放位置における図１３の実施形態を図示する詳細分解斜視図である。
【図１５】図１３の実施形態のサポートする取り外し可能な旋回端部を図示する斜視図である。
【図１６】充電ケーブル巻き戻しおよび使用システムの第１の実施形態を図示し、その一般的な特徴を示す斜視図である。
【図１７】キッチン作業における使用による図１６の実施形態を図示する環境斜視図である。
【図１８】開放位置における図１６の実施形態を図示する斜視図である。
【図１９】開放位置における図１６の実施形態を図示する詳細分解斜視図である。
【図２０】動作中の本発明による開放位置における、巻き戻し線が完全に伸びている状態の図１６の実施形態を図示する斜視図である。
【図２１】巻き戻し線が完全に伸びており、モバイルブロードバンド充電ケーブルが接続された状態の動作中の本発明による開放位置における図１６の実施形態を図示する斜視図である。
【図２２】モバイルブロードバンド充電ケーブルが巻き付けられた状態の動作中の本発明による、完全に巻き付けられた位置の図１６の実施形態を図示する斜視図である。
【図２３】モバイルブロードバンド充電ケーブルが巻き付けられ、上側スプールフランジ部が除去された状態の動作中の本発明による、完全巻き付けられた状況の図１６の実施形態を図示する斜視図である。
【図２４】充電ケーブル巻き戻しおよび使用システムの第２の実施形態を図示し、その一般的な特徴を示す斜視図である。
【図２５】図２４の実施形態を図示す詳細分解斜視図である。
【図２６】巻き戻し線が完全に伸びている状態の動作中の本発明による図２４の実施形態を図示する斜視図である。
【図２７】巻き戻し線が完全に伸びており、モバイルブロードバンド充電ケーブルが挿入された状態の動作中の本発明による図２４の実施形態を図示する斜視図である。
【図２８】巻き戻し線が完全に伸びており、モバイルブロードバンド充電ケーブルが挿入された状態の動作中の本発明による図２４の実施形態を拡大して図示する斜視図である。
【図２９】モバイルブロードバンド充電ケーブルが巻き付けられた状態の動作中の本発明による完全に巻き付けられた状況の図２４の実施形態を図示する斜視図である。
【図３０】充電ケーブル巻き戻しおよび使用システムの第３の実施形態を図示し、その一般的な特徴を示す斜視図である。
【図３１】開放位置における図３０の実施形態を図示する詳細分解斜視図である。
【図３２】モバイルブロードバンド充電ケーブルが巻き付けられた状態の動作中の本発明による、完全に巻き付けられた状態における図３０の実施形態を図示する斜視図である。
【図３３】巻き戻し線が完全に伸びている状態の動作中の本発明による開放位置の図３０の実施形態を図示する斜視図である。
【図３４】巻き戻し線が完全に伸びており、モバイルブロードバンド充電ケーブルが接続された状態での動作中の本発明による開放位置における図３０の実施形態を図示する斜視図である。
【図３５】システム収納部の前面のカットアウトを含む一般的な特徴を示す図４における充電および使用システムを図示する環境斜視図である。
【発明を実施するための形態】
【００２３】
本発明は、専用の非侵略的空間における、完全に視覚的にアクセス可能な状態で充電することができるモバイルブロードバンドデバイスを日常的な使用のための編成システムに関する。
【００２４】
図１Ａは、本発明による、使用中の好ましいキャビネット下のモバイルブロードバンドデバイス用の充電および使用システム１００（充電および使用システム１００）の前面アセンブリを図示する立面図である。システム収納部１０２は、アセンブリのための構造を提供する。図１Ａに図示されているシステム収納部１０２は、収納部の前方部を示しており、箱を形成しているが、システム収納部は、システム収納部の前方部なしで構成されてよい。アセンブリは、上棚前部１２２を持つ上棚１２０、および下棚前部１２６を持つ下棚１２４を含む。２つのモバイルブロードバンド装置８０２は、モバイルブロードバンドデバイス充電ケーブル８０４により充電されていることが図示される。充電および使用システム１００は、直接ケーブルを介して、またはウォールチャージャー８１８等のデバイスを介して構内配線または他の電源に接続され得るシステム電力ケーブル巻き戻し部１３４を介して電力を得る。システム電力巻き戻し部１３４は、ＵＳＢコネクタを含む固定長ケーブル入口およびＵＳＢコネクタを含む巻き戻しケーブル出口を有するケーブル巻き戻し部である。システム電力巻き戻し部１３４は、システム収納部１０２の下側に装着される。固定長ＵＳＢケーブルは、レセプタクル８０８に差し込まれるウォールチャージャー８１８にシステム電力巻き戻し部１３４を接続する。巻き戻しＵＳＢケーブルは、電源分配ブロック１２８にＤＣ電圧を供給する。充電および使用システム１００のユーザが、スリーブベアリングガイドレール１０６に沿ってスリーブベアリングキャリッジ１０８の上に装着された上棚１２０および下棚１２４をスライドすると、システム電力ケーブル巻き戻し部１３４は電源分配ブロック１２８へのケーブルの張力を保持する。
【００２５】
図１Ｂは、後退位置における好ましいキャビネット下のモバイルブロードバンド充電の前面および使用システム１００を図示する立面図である。一旦後退すると、システム収納部１０２は、構内配線への接続のために利用可能な残りのシステム電力ケーブル巻き戻し部１３４と共にアセンブリ全体を収納する。
【００２６】
図２Ａは、２つのモバイルブロードバンド装置８０２と共にキッチン作業される下部キッチンキャビネット８１２の上方の標準的な上部キッチンキャビネット８１４の下側に取り付けられた、その使用によるキャビネット下のモバイルブロードバンド充電および使用システム１００を図示する環境斜視図である。このシステムは、キャビネット、本棚、重量ラック、食器棚、スパイスラック、コーヒーポッドラック、通常の料理の本のスタンド、音楽スタンド等の、キッチン、洗濯屋、運動部屋、大学の寮、オフィス等で発見されるようなものが任意の棚の下面に取り付けられてよい。図示されるように、システム収納部１０２は標準的な上部キッチンキャビネット８１４の下側に装着される。充電および使用システム１００は、レセプタクル８０８を介して構内配線に接続されるシステム電力ケーブル巻き戻し部１３４を介して電力を得る。容易に認識できるように、充電および使用システム１００は下部キッチンキャビネット８１２のカウンタートップ８１０の上方に位置しており、充電および使用システム１００が使用中の間にはカウンタートップ８１０が他に使用されることはない。
【００２７】
図２Ｂおよび図２Ｃは、後退位置におけるキッチン作業における使用によるキャビネット下のモバイルブロードバンド充電および使用システム１００を図示する環境斜視図を提供する。一旦後退されると、標準的な上部キッチンキャビネット８１４の下側に装着された時のキャビネット下のモバイルブロードバンド充電および使用システム１００の可視性は、ウォールチャージャー８１８を介した標準的な１２０ボルト６０ヘルツのレセプタクルとして図示されたレセプタクル８０８に接続されるように図示されたシステム電力ケーブル巻き戻し部134に限定される。当業者にとって容易に明らかであるように、充電および使用システム１００は、現在の技術で容易に利用可能な適切なウォールチャージャーを使用することで、またはユーザの電力システムに適切なアダプタが一体的に提供するように製造されたシステム電力ケーブルを介していかなる電力システムにも接続され得る。さらに容易に明らかであるように、下部キッチンキャビネット８１２のカウンタートップ８１０は、他の使用のために依然と容易に利用可能である。
【００２８】
図３Ｂが上部キッチンキャビネット８１４の下方に後退した充電および使用システム１００と共に同じユーザ９０２、９０４により同じ充電および使用システム１００の視線を図示している一方、図３Ａは、キッチン作業における使用による開放状態におけるキャビネット下のモバイルブロードバンド充電および使用システム１００のユーザ９０２および他のユーザ９０４の視線を図示する環境斜視図を図示している。Ｔ１はユーザ９０２の視線の高さを表しており、Ｔ２はユーザ９０４の視線の高さを表す。Ｅｒｇｏｔｒｏｎ  Ｅｒｇｏｎｏｍｉｃｓ  Ｄａｔａ  ｓｈｅｅｔ（２０１４年４月１日改正板）もよると、米国の人口調査に基づいた５％の女性の立位時の視点高さはユーザ９０２のＴ１により表される５５．７インチ（１４１．４７８センチメートル）で、また９５パーセントの男性の立位時の視点高さはユーザ９０４のＴ２で表される６８．６インチ（１７４．２４４センチメートル）である。高さＴ１およびＴ２は典型的な現代の米国のキッチンを基準にして図示されており、充電および使用システム１００ユーザの９５パーセントは、後退状態の間でその９５パーセントのユーザから非表示になっている間でも充電および使用システム１００を見ることが可能であろう。後退状態における下部キッチンキャビネット８１２の上方においてこれらのユーザに見えるのは、レセプタクル８０８に接続されたシステム電力巻き戻し部１３４の電力コードのみである。
【００２９】
一番下の棚の下にあるキャビネット下の奥行は約１０．５インチ（２６．６７センチメートル）から１０．７５インチ（２７．３０５センチメートル）の間であって、一番下の棚の下にある対応するキャビネット下の高さは約１．２５インチ（３．１７５センチメートル）から１．３７５インチ（３．４９２５センチメートル）である標準的な上部キッチンキャビネットを使用する場合、約１．２５インチ（３．１７５センチメートル）の高さと、１０．３７５インチ（２６．３５２５センチメートル）の長さと、および１８インチ（４５．７２センチメートル）の幅を有するキャビネット下のモバイルブロードバンドデバイス用の充電および使用システム１００は、９５パーセントのユーザには見えないままである。キャビネット下のモバイルブロードバンドデバイス用の充電および使用システム１００好ましい実施形態において、充電および使用システム１００の幅は約９．５インチ（２４．１３センチメートル）である。
【００３０】
好ましい実施形態において、標準的な上部キッチンキャビネットと共に使用する時に、下棚は約０．０４０インチ（０．１０１６センチメートル）の厚さ、長さ約８インチ（２０．３２センチメートル）の長さ、約８インチ（２０．３２センチメートル）の幅を有するのが好ましく、上棚は約０．０４０インチ（０．１０１６センチメートル）の厚さ、約８インチ（２０．３２センチメートル）の長さ、約８インチ（２０．３２センチメートル）の幅を有するのが好ましい。
【００３１】
キャビネット下のモバイルブロードバンド充電および使用システム１００の好ましい実施形態の１つ目は、図４から図８にさらに示される。充電および使用システム１００を広げた（開放した）位置（組み立てた状態および分解立体図）を図示する図４および図５を参照すると、本実施形態は、ケーブル技術を利用する。システム収納部１０２は、装着孔１０４を含むアセンブリ用の構造を提供する。システム収納部は、合板、金属、ポリマー等のコンテナ用に通常使用される任意の好適な材料、または竹または硬材等の環境に優しい材料で構成されてよい。図示されているように、ネジ型留め具を介した装着が好ましいが、本発明の教示から逸脱することなく、追加の装着方法を使用してよい。そのような装着方法は、システム収納部１０２に必須であってよく、ボルト止め、テーピング、接着剤、ベルクロ（登録商標）、ブラケット、ユーザが装着、装着解除および再装着できる接着剤（ミネソタ州セントポールの３Ｍ，Ｉｎｃ.によるＣｏｍｍａｎｄ  Ｄａｍａｇｅ  Ｆｒｅｅ  Ｈａｎｇｉｎｇ  Ｓｔｒｉｐ等）等を含み得る。スリーブベアリングガイドレール１０６は、システム収納部１０２の内側平行面の各々に装着される。スリーブベアリングキャリッジ１０８は、各スリーブベアリングガイドレール１０６に載置される。キャリッジスペーサ１１０は、４つの支持アーム１１２の旋回に適切な間隔を提供するために各スリーブベアリングキャリッジ１０８に装着される。４つの支持アーム１１２は２対で、各棚の各側に一対ずつ、上棚１２０および下棚１２４とに用意される。各対の支持アーム１１２は支持アームの旋回ブラケット１１８に接続される。上棚１２０および上棚前部１２２は、アセンブリとして取り外し可能である。キャリッジスペーサ１１０、支持アーム対１１２、支持アームの旋回ブラケット１１８の組み合わせは、上棚１２０および下棚１２４の垂直方向の関節運動を提供する。スリーブベアリングキャリッジ１０８およびスリーブベアリングガイドレール１０６の組み合わせは、上棚１２０および下棚１２４において水平方向の関節運動を提供する。ノブ１１４およびスプリング１１６を締付けることにより、充電および使用システム１００が開いている時の、関節運動による棚の角度が設定される。
【００３２】
上棚１２０の前面に装着された上棚前部１２２は、ブロードバンドデバイスが充電および使用のために載るための、縁部を提供する。下棚１２４の前面に装着された下棚前部１２６は、ケーブル収納を補助する。
【００３３】
下棚１２４上に装着された電源分配ブロック１２８は、充電および動作に必要なＤＣ電圧を分配する。図５および６に図示された好ましい実施形態においては、２つのモバイルブロードバンドデバイス充電および使用システム４００（巻き戻しアセンブリ４００）が提示されており、電源分配ブロック１２８はマルチポートＵＳＢハブである。電源分配ブロック１２８は、高精細マルチメディア連結（ＨＤＭＩ（登録商標））、保護デジタル（ＳＤ）、ｍｉｎｉＳＤ、ギガビット、イーサネット（登録商標）、ＵＳＢーＣ等の接続のための追加モバイルブロードバンドデバイスを任意に有してよい。本実施形態には２つの巻き戻しアセンブリ４００が図示されるが、４つまでの巻き戻しアセンブリ４００が装着され得る。以下、説明を単純化するために、単一充電および使用システム４００の部品および使用について説明する。巻き戻しピン１３２は、モバイルブロードバンドデバイス充電および使用システム４００が位置する下棚１２４に装着される。下棚１２４のプランジャ位置決め孔１３６は、モバイルブロードバンドデバイス充電および使用システム４００のプランジャ（充電および使用システム４００の下側に位置し、図５と、図６と、図７と、図８とに図示されていない）を収容し、プランジャは、モバイルブロードバンドデバイス充電および使用システム４００の回転を防止する。モバイルブロードバンドデバイス充電ケーブル８０４は、モバイルブロードバンドデバイス充電および使用システム４００の内側に巻き付けられ、その一端は、充電および使用システム１００で使用されるブロードバンドデバイスとの互換性のために選択される。ＵＳＢケーブル４４０は、モバイルブロードバンドデバイス充電および使用システム４００を電源分配ブロック１２８に接続する。モバイルブロードバンドデバイス充電および使用システム４００は取り外し可能なため、モバイルブロードバンドデバイス充電ケーブル８０４が他のブロードバンドデバイスとの互換性の必要に応じて変化され得る。充電ケーブル８０４は、電源分配ブロック１２８から電子デバイスに電力を供給する手段を提供する。
【００３４】
充電および使用システム１００に供給された電力は、システム電力巻き戻し部１３４を組み込む（図５に図示）。システム電力巻き戻し部１３４は、ＵＳＢコネクタ付き固定長ケーブル入口およびＵＳＢコネクタ付き巻き戻しケーブル出口を有するケーブル巻き戻し部である。システム電力巻き戻し部１３４は、システム収納部１０２の下側に装着される。固定長ＵＳＢケーブルは、レセプタクル８０８に差し込まれるウォールチャージャー８１８にシステム電力巻き戻し部１３４を接続する。巻き戻しＵＳＢケーブルは、電源分配ブロック１２８にＤＣ電圧を供給する。充電および使用システム１００のユーザが、スリーブベアリングガイドレール１０６に沿ってスリーブベアリングキャリッジ１０８の上に装着されている上棚１２０および下棚１２４をスライドすると、システム電力ケーブル巻き戻し部１３４は、電源分配ブロック１２８に対してケーブルの張力を保持する。システム収納部１０２は、平行な側面および平らな上面を維持することが可能な射出成形パーツであることが好ましい。木、アクリロニトリルブタジエンスチレン（ＡＢＳ)、アルミニウム等の他の材料および製造方法を、システム収納部１０２を形成するために使用できる。
【００３５】
装着孔１０４を使用してキャビネットの下側にキャビネット下のモバイルブロードバンドデバイス用の充電および使用システム１００を設置する際に、システム電力ケーブル巻き戻し部１３４内の固定長ＵＳＢケーブルは、構内配線レセプタクル８０８に接続する。ユーザは、棚アセンブリを前方にスライドしながら上棚１２０および下棚１２４を所望の傾斜面まで関節運動させ、次いでノブ１１４を締め付ける。所望の傾斜面は、水平方向から約１５度から、水平方向から約７５度まで調整され得るが、水平方向から約４５度が好ましい。図６を参照すると、ユーザはモバイルブロードバンドデバイス充電ケーブル８０４をブロードバンドデバイスに接続する。ユーザは、１以上のモバイルブロードバンドデバイス８０２を上棚１２０に配置する。上棚前部１２２は、モバイルブロードバンドデバイス充電および使用システム１００の内部に含まれるモバイルブロードバンドデバイス８０２を保護する。ユーザは、デバイスの充電を必要としなくてよい。充電中か否かにかかわらず、ユーザはデバイスへの完全な視覚的および音声的アクセスを確保する。
【００３６】
図７を参照すると、本発明のこの第１実施形態では、ユーザは、電源分配ブロック１２８および巻き戻しピン１３２が装着されている下棚１２４を露出させるために、上棚１２０を取り外す。ユーザは、巻き戻しピン１３２の上にモバイルブロードバンドデバイスの充電ケーブル巻き戻しおよび使用システム４００を配置し、モバイルブロードバンドデバイスの充電ケーブル巻き戻しおよび使用システム４００には充電予定であるモバイルブロードバンドデバイスに対応するコネクタを有するモバイルブロードバンドデバイス充電ケーブル８０４が装填されている。モバイルブロードバンドデバイス充電および使用システム４００が巻き戻しピン１３２の上に置かれると、動作中にモバイルブロードバンドデバイス充電および使用システム４００の構造が回転することを抑止するプランジャ位置決め孔１３６に、プランジャ４２６が挿入される。ユーザは、ＵＳＢケーブル４４０を電源分配ブロック１２８に接続する。ブロードバンドデバイスに対応するモバイルブロードバンド充電ケーブル８０４の端部は充電予定のブロードバンドデバイスに接続される。この方法で、複数のブロードバンドデバイスを収容できる。１つのモバイルブロードバンドデバイス８０２は、充電ケーブル８０４に接続され、上棚１２０の上に配置されている。他のモバイルブロードバンドデバイスは、上棚１２０の上に配置された後に、使用のために充電ケーブル８０４に接続されている。ユーザは上棚１２０を交換し、１以上のモバイルブロードバンドデバイスを充電のために上棚１２０の上に配置することができる。上棚１２０の調節しやすさは、ユーザにとって上棚１２０の上に配置されたデバイスへの完全な視覚的および音声的アクセスの保持を可能にする。モバイルブロードバンドデバイスは、任意のサイズ、型、向きのスマートフォン、タブレット、ＰＤＡ等であってよい。充電および使用システム１００は、充電電力の要件に関わらず側面または底部の接続を収容できる。
【００３７】
図８を参照すると、充電および使用システム１００は、上棚前部１２２に対して載る上棚１２０の上に図示されるように、単一大型のモバイルブロードバンドデバイス８０６と共に使用され、モバイルブロードバンド充電ケーブル８０４に接続される。
【００３８】
図７および８を再度参照すると、図８は、側面の接続を介して充電および使用システム１００に接続されるタブレット等の大型のブロードバンドデバイス８０６を図示し、図７は底部の接続を介して充電および使用システム１００に接続される各モバイルブロードバンドデバイス８０２を図示する。上棚１２０を、より大型のデバイスがシステムと共に使用されることを可能にするであろう伸長可能なアーム（図示されていない）に任意に提供されてよい。例えば、スマートフォンを充電している間は基部充電器に提供するには幅が広すぎる大型スクリーンタブレットも、ここではスマートフォンと共にシステムに提供することが可能であろう。充電および使用システム１００は格納ケースではないが、上棚１２０が完全に後退された際に、デバイスは充電および機能を保つことができる。
【００３９】
本発明の第２の実施形態では、キャビネット下のモバイルブロードバンド充電および使用システム２００について図９と、図１０と、図１１と、図１２とに示す。本実施形態は、誘導充電技術を利用する。上記に予め説明された実施形態におけるシステムと同様に、システム収納部２０２は装着孔２０４を含むアセンブリ用の構造を提供する。システム収納部２０２は、通常コンテナに使用される合板、金属、ポリマーまたは環境に優しい竹または硬材の材料等の任意の好適な材料で構成されてよい。図示されているように、ネジ型留め具を介した装着が好ましいが、本発明の教示から逸脱することなく、追加の装着方法を使用してよい。そのような装着方法は、システム収納部２０２に必須であってよく、ボルト止め、テーピング、接着剤、ベルクロ（登録商標）、ブラケット、ユーザが装着、装着解除および再装着できる接着剤（ミネソタ州セントポールの３Ｍ，Ｉｎｃ.によるＣｏｍｍａｎｄ  Ｄａｍａｇｅ  Ｆｒｅｅ  Ｈａｎｇｉｎｇ  Ｓｔｒｉｐなど）等を含み得る。スリーブベアリングガイドレール２０６は、システム収納部２０２の内側平行面の各々に装着される。スリーブベアリングキャリッジ２０８は、各スリーブベアリングガイドレール２０６の上を走る。キャリッジスペーサ２１０は、４つの支持アーム２１２の旋回に適切な間隔を提供するために各スリーブベアリングキャリッジ２０８に装着される。各対の支持アーム２１２は、支持アームの旋回ブラケット２１８に接続される。上棚２２０および下棚２２４は、支持アーム２１２の各々に装着される。上棚２２０および上棚前部２２２は、アセンブリとして取り外し可能である。キャリッジスペーサ２１０、一対の支持アーム２１２、支持アームの旋回ブラケット２１８の組み合わせは上棚２２０および下棚２２４の垂直方向の関節運動を提供する。スリーブベアリングキャリッジ２０８およびスリーブベアリングガイドレール２０６の組み合わせは、上棚２２０および下棚２２４において水平方向の関節運動を提供する。ノブ２１４およびスプリング２１６の締付けることにより、充電および使用システム２００が開いている時の、関節運動による棚の角度が設定される。所望の関節付き棚の角度は、水平方向から約１５度から、水平方向から約７５度まで調整できるが、水平方向から約４５度が好ましい。
【００４０】
上棚２２０の前面に装着された上棚前部２２２は、ブロードバンドデバイスが載るための縁部を提供する。下棚２２４の前面に装着された下棚前部２２６は、ケーブル収納を補助する。
【００４１】
Ｔ字型の長い押出スライド（Ｔ字型溝付きロング押出スライド）２５６およびＴ字型の短い押出スライド（Ｔ字型溝付きショート押出スライド）２５８は、上棚２２０に装着される。Ｔ字型の押出ロケータ（Ｔ字型溝付き押出ロケータ）２６０はＴ字型溝付きロング押出スライド２５６およびＴ字型溝付きショート押出スライド２５８に置かれる。これらは、充電コイルの整列を保証するように、無線充電器２５２（例えば、Ａｍａｚｏｎ．ｃｏｍで入手可能なＣｈｏｅｔｅｃｈ  Ｑｉ無線充電器  Ｔ５１３Ｓ）およびモバイルブロードバンドデバイス８０２を位置決めする上で必要な調節しやすさを提供する。Ｔ字型溝付き押出ロケータ２６０は、無線充電器２５２より小さいか、より大きい充電用のブロードバンドデバイスを収容することができる。図９と、図１０と、図１１と、図１２とに図示されるように、充電および使用システム２００は２つの無線充電器２５２と２つまでのモバイルブロードバンド装置８０２を収容することができる。当業者の人々は認識しているように、充電および使用システム２００の幅を広くすることにより、追加の無線充電器を使用することが可能であろう。
【００４２】
下棚２２４の上に装着された電源分配ブロック２２８は、充電および動作に必要なＤＣ電圧を分配する。無線充電器ケーブル２５４は、電源分配ブロック２２８に無線充電器２５２を接続する。
【００４３】
充電および使用システム２００に供給された電力は、システム電力巻き戻し部２３４を組み込む。システム電力巻き戻し部２３４は、ＵＳＢコネクタ付き固定長ケーブル入口およびＵＳＢコネクタ付き巻き戻しケーブル出口を有するケーブル巻き戻し部である。システム電力巻き戻し部２３４は、システム収納部２０２の下側に装着される。固定長ＵＳＢケーブルは、レセプタクル８０８に差し込まれるウォールチャージャー８１８にシステム電力巻き戻し部２３４を接続する。巻き戻しＵＳＢケーブルは、電源分配ブロック２２８にＤＣ電圧を供給する。充電および使用システム２００のユーザが、スリーブベアリングガイドレール２０６に沿ってスリーブベアリングキャリッジ２０８の上に装着された上棚２２０および下棚２２４をスライドすると、システム電力ケーブル巻き戻し部２３４は、電源分配ブロック２２８へのケーブルの張力を保持する。無線充電器２５２を充電マット、誘導リング、誘導ケース等の電力マットまたはその他の誘導充電デバイスに入れ替えることにより、本発明ではスマートフォン等のモバイルブロードバンドデバイス８０２、またはこれらのデバイスの充電に対応するタブレットコンピュータ等の大型モバイルブロードバンドデバイスによって、電力マットまたはその他の誘導充電デバイスを使用してよい。
【００４４】
キャビネット下のモバイルブロードバンドデバイス用の充電および使用システム２００を、装着孔２０４を使用してキャビネットの下側に設置する際に、システム電力ケーブル巻き戻し部２３４内の後退可能なＵＳＢケーブルは、構内配線レセプタクル８０８に接続される。ユーザは、棚アセンブリを前方にスライドしながら上棚２２０および下棚２２４を所望の傾斜面まで関節運動させ、ノブ２１４を締め付ける。ユーザは、上棚２２０に装着された無線充電器２５２の上に１以上のモバイルブロードバンドデバイス８０２を配置してよい。ユーザは、Ｔ字型溝付きロング押出スライド２５６およびＴ字型溝付きショート押出スライド２５８内の複数のＴ字型溝探知器２６０を調整して、充電コイルの整列を保証するために無線充電器２５２およびモバイルブロードバンドデバイス８０２を配置する。Ｔ字型溝付き押出ロケータ２６０は、無線充電器２５２より小さいか、無線充電器２５２より大きい充電用のブロードバンドデバイスを収容するために回転できる。所望のサイズのモバイルブロードバンドデバイス８０２の収納用のＴ字型溝探知器２６０の位置により、内蔵型のＴ字型溝探知器２６０セットネジは締付けられる。この方法で、複数のデバイスを収容できる。１以上のモバイルブロードバンドデバイスは、充電のために棚に配置することができる。充電中か否かにかかわらず、上棚２２０の調節しやすさは、ユーザにとって上棚２２０の上に配置されたデバイスへの完全な視覚的および音声的アクセスの保持を可能にする。モバイルブロードバンドデバイスは、任意のサイズ、型、向きのスマートフォン、タブレット、携帯情報端末（ＰＤＡ）等であってよい。充電および使用システム２００は、充電電力の要件に関わらず、側面または底部の接続を収容できる。上棚２２０を、より大型のデバイスがシステムと共に使用されることを可能にするであろう伸長可能なアーム（図示されていない）に任意に提供されてよい。充電および使用システム２００は格納ケースではないが、上棚２２０が完全に後退される間、デバイスは充電および機能を保つことができる。
【００４５】
本発明の第３の実施形態は、キャビネット下のモバイルブロードバンド充電および使用システム３００について図１３と、図１４と、図１５とに示す。本実施形態は、取り外し可能／旋回充電端部技術を利用する。上記に予め説明された実施形態におけるシステムと同様に、システム収納部３０２は装着孔３０４を含むアセンブリ用の構造を提供する。システム収納部３０２は、通常コンテナに使用される合板、金属、ポリマーまたは環境に優しい竹または硬材の材料等の任意の好適な材料で構成されてよい。図示されているように、ネジ型留め具を介した装着が好ましいが、本発明の教示から逸脱することなく、追加の装着方法を使用してよい。そのような装着方法は、システム収納部３０２に必須であってよく、ボルト止め、テーピング、接着剤、ベルクロ（登録商標）、ブラケット、ユーザが装着、装着解除および再装着できる接着剤（ミネソタ州セントポールの３Ｍ，Ｉｎｃ.によるＣｏｍｍａｎｄ  Ｄａｍａｇｅ  Ｆｒｅｅ  Ｈａｎｇｉｎｇ  Ｓｔｒｉｐなど）等を含み得る。スリーブベアリングガイドレール３０６は、システム収納部３０２の２つの内側平行面の各々に装着される。スリーブベアリングキャリッジ３０８は、各スリーブベアリングガイドレール３０６の上を走る。キャリッジスペーサ３１０は、４つの支持アーム３１２の旋回に適切な間隔を提供するために各スリーブベアリングキャリッジ３０８に装着される。各対の支持アーム３１２は、支持アームの旋回ブラケット３１８に接続される。上棚３２０および下棚３２４は、下の支持アーム３１２の各々に装着される。上棚３２０および上棚前部３２２は、アセンブリとして取り外し可能である。キャリッジスペーサ３１０、一対の支持アーム３１２、支持アームの旋回ブラケット３１８の組み合わせは上棚３２０および下棚３２４の垂直方向の関節運動を提供する。スリーブベアリングキャリッジ３０８およびスリーブベアリングガイドレール３０６の組み合わせは、上棚３２０および下棚３２４において水平方向の関節運動を提供する。ノブ３１４およびスプリング３１６の締付けることにより、充電および使用システム３００が開いている時の、関節運動による棚の角度が設定される。
【００４６】
上棚３２０の前面に装着された上棚前部３２２は、ブロードバンドデバイスが載るための縁部を提供する。下棚３２４の前面に装着された下棚前部３２６は、ケーブル収納を補助する。
【００４７】
充電バー３８２は、上棚３２０に装着される。取り外し可能／旋回端部３８６は、充電および使用システム３００で使用されるモバイルブロードバンドデバイス８０２との互換性のために選択される。取り外し可能／旋回端部３８６は、充電バー３８２およびモバイルブロードバンドデバイス８０２に挿入される。電源分配ブロック３２８は、充電と動作に必要なＤＣ電圧を分配する下棚３２４の上に装着される。  ＵＳＢ  ｔｏ  ＵＳＢケーブル３８４は、充電バー３８２と電源分配ブロック３２８を接続させる。
【００４８】
充電および使用システム３００に供給された電力は、システム電力巻き戻し部３３４を組み込む。システム電力巻き戻し部３３４は、ＵＳＢコネクタ付き固定長ケーブル入口およびＵＳＢコネクタ付き巻き戻しケーブル出口を有するケーブル巻き戻し部である。システム電力巻き戻し部３３４は、システム収納部３０２の下側に装着される。固定長ＵＳＢケーブルは、レセプタクル８０８に差し込まれるウォールチャージャー８１８にシステム電力巻き戻し部３３４を接続する。巻き戻しＵＳＢケーブルは、電源分配ブロック３２８にＤＣ電圧を供給する。充電および使用システム３００のユーザが、スリーブベアリングガイドレール３０６に沿ってスリーブベアリングキャリッジ３０８の上に装着された上棚３２０および下棚３２４をスライドすると、システム電力ケーブル巻き戻し部３３４は電源分配ブロック３２８へのケーブルの張力を保持する。装着孔３０４を使用してキャビネット下のモバイルブロードバンドデバイス用の充電および使用システム３００をキャビネットの下側に設置すると、システム電力ケーブル巻き戻し部３３４内の後退可能なＵＳＢケーブルは、予め説明された実施形態と同様に、構内配線レセプタクル（図示されていない）に接続される。
ユーザは、棚アセンブリを前方にスライドしながら上棚３２０および下棚３２４を所望の傾斜面に関節運動させ、ノブ３１４を締め付ける。ユーザは、１以上のモバイルブロードバンドデバイス（図示されていない）を、上棚３２０の上に配置する。ユーザは、使用予定のモバイルブロードバンドデバイスとの互換性のために取り外し可能／旋回端部３８６を選択する。取り外し可能／旋回端部３８６は、充電バー３８２およびモバイルブロードバンドデバイスに挿入される。この方法で、複数のデバイスを収容できる。１以上のモバイルブロードバンドデバイスは、充電のために棚の上に配置することができる。ユーザは、デバイスの充電を必要としなくてよい。充電中か否かにかかわらず、上棚３２０の調節しやすさは、ユーザにとって上棚３２０の上に配置されたデバイスへの完全な視覚的および音声的アクセスの保持を可能にする。モバイルブロードバンドデバイスは、任意のサイズ、型、向きのスマートフォン、タブレット、ＰＤＡ等であってよい。充電および使用システム３００は、充電電力の要件に関わらず側面または底部の接続を収容できる。上棚３２０を、より大型のデバイスがシステムと共に使用されることを可能にするであろう伸長可能なアーム（図示されていない）に任意に提供されてよい。充電および使用システム３００は格納ケースではないが、上棚３２０が完全に後退された際に、デバイスは充電および機能を保つことができる。
【００４９】
第３の実施形態において、ユーザは、充電および使用システム１００で使用する予定のブロードバンドデバイスとの互換性のために、取り外し可能／旋回端部３０６を選択する。取り外し可能／旋回端部３０６は、充電バー３０２およびスマートフォン等のブロードバンドデバイスに挿入される。この方法で、複数のデバイスを収容できる。１以上のモバイルブロードバンドデバイスは、充電のために棚の上に配置することができる。
【００５０】
本発明のモバイルブロードバンドデバイスの充電ケーブル巻き戻しおよび使用システム４００（巻き戻しアセンブリ４００とも呼ばれる）の好ましい実施形態の追加の詳細は、は、図１６と、図１７と、図１８と、図１９と、図２０と、図２１と、図２２と、図２３とに示される。当業者の人々にとって容易に明らかであるように、巻き戻しアセンブリ４００は、ＵＳＢ  Ｔｙｐｅ−Ｂ、ＵＳＢ  Ｔｙｐｅ−Ｃ、ＵＳＢ  Ｍｉｎｉ−ＡおよびＭｉｎｉ−Ｂ、ＵＳＢ  Ｍｉｃｒｏ−ＡおよびＭｉｃｒｏ−、Ｄ−ｓｕｂ等の追加のコネクタタイプを組み込むように構成され得る。この方法は、モバイルブロードバンドデバイス充電ケーブル８０４が差し込まれられるＵＳＢレセプタクル４３８の使用を伴う。上側スプールフランジ部４０２および下側スプールフランジ部４２４は、アセンブリの構造を提供するネジにより互いに固定される。図１９に提示された実施形態において、当業者の人々には容易に明らかであるように、上側スプールフランジ部４０２および下側スプールフランジ部４２４がネジを使用して互いに固定されると説明されているが、２つのスプールフランジ部はリベット、クリップ、化学接着剤等、締め付けのためのいくつかの利用可能な手段の何れかにより接続されてよい。上側スプールフランジ部４０２および下側スプールフランジ部４２４の間に位置されるものは、上部グロメット４０４、充電ケーブル用ハーフスプール４０６、中央スプールフランジ部４１０、巻き戻しばね収納部／ラチェットホイール４１２、ウェーブディスクスプリング４１６、ストリングスプール４２０、下部グロメット４２２を含むスタックアセンブリ（スタック）である。
【００５１】
巻き戻しばね収納部／ラチェットホイール４１２は、ばね鋼巻き戻し部４１４を収納する。巻き戻し線４１８は、ストリングスプール４２０の周りに巻き付けられる。ストリング引き手４３６は、ストリングのユーザ側の端部に取り付けられる。プランジャ４２６は、ウェーブディスクスプリング４１６を加圧し、巻き戻しばね収納部／ラチェットホイール４１２とストリングスプール４２０との同時回転のために、巻き戻しばね収納部／ラチェットホイール４１２とストリングスプール４２０を係合させる。
【００５２】
一端において、ばね鋼巻き戻し部４１４は巻き戻しばね収納部／ラチェットホイール４１２内の溝に挿入され、他端においては、下側スプールフランジ部４２４内の溝に挿入される。スタックの回転は、ばね鋼を巻く。
【００５３】
爪４２８は爪マウント４３２の上に装着される。トーションばね４３０は、スター・ホイール４３４に対してラチェットするための爪４２８の張力を保持し、爪４２８のロックを可能にする。ロックされた爪４２８は、巻き戻しばね収納部／ラチェットホイール４１２の複数の歯を係合する。
【００５４】
ＵＳＢレセプタクル４３８は、モバイルブロードバンドデバイス充電ケーブル８０４に差し込むために充電ケーブル用ハーフスプール４０６から旋回する充電ケーブル用スプール施回部４０８に必須である。
【００５５】
ＵＳＢレセプタクル４３８の裏面に配線されたものは、環境電源に接続されるために上部グロメット４０４から出るＵＳＢケーブル４４０である。
【００５６】
上側スプールフランジ部４０２および下側スプールフランジ部４２４は、回転スタックを支持する単一固定構造を生成するために接合される。上部グロメット４０４は、ＵＳＢケーブル４４０の周りに回転を提供し、アセンブリの上面のスタックの回転を収容する。スタックの底部の回転は、下部グロメット４２２により収容される。
【００５７】
モバイルブロードバンドデバイスの充電ケーブル巻き戻しおよび使用システム４００のパーツは、射出成形によるものが好ましい。木、金属等の他の材料および押出、成形、大工等の製造方法は、本発明の教示を避けることなくパーツの製造に使用することができる。巻き戻し線４１８は、小径と高抗張力を有する。巻き戻し線の好ましい材料は、ナイロン、ポリエチレン、ポリエチレン、被覆金属線等を含む。
【００５８】
モバイルブロードバンドデバイスの充電ケーブル巻き戻しおよび使用システム４００の動作を準備するために、まず、ユーザのモバイルブロードバンドデバイス充電ケーブル８０４を装填する必要がある。
【００５９】
各々が約３インチ（７．６２センチメートル）の直径、下側スプールフランジ部の基部から上側フランジ部の上面まで約０．７３インチ（１．８５４２センチメートル）の高さを有する上側スプールフランジ部および下側スプールフランジ部を含む巻き戻しアセンブリは、長さ４０インチ（１０１．６センチメートル）、直径０．０１インチ（０．０２５４センチメートル）までの充電ケーブルを収容できる。
【００６０】
第１の巻き戻しアセンブリ４００の実施形態において、ユーザはウェーブディスクスプリング４１６を加圧するためにプランジャ４２６を押して、巻き戻しばね収納部／ラチェットホイール４１２とストリングスプール４２０との同時回転のために、ストリングスプール４２０を巻き戻しばね収納部／ラチェットホイール４１２と係合する。ユーザは、巻き戻し線４１８をほどくために、モバイルブロードバンドデバイス充電ケーブル８０４の所望の巻き戻し長までストリング引き手４３６を引っ張る。蝶つがい式充電ケーブル用スプール施回部４０８は、充電ケーブル用ハーフスプール４０６から揺れて、モバイルブロードバンドデバイス充電ケーブル８０４に差し込まれたＵＳＢレセプタクル４３８を露出させる。充電ケーブル用スプール施回部４０８を閉めた後、ユーザはストリング引き手４３６を放し、ストリングスプール４２０、充電ケーブル用ハーフスプール４０６、充電ケーブル用スプール施回部４０８の逆回転を可能にする。その結果は、巻き戻し線４１８および充電ケーブル８０４の完全な後退である。ユーザは、プランジャ４２６を放してモバイルブロードバンドデバイスの充電ケーブル巻き戻しおよび使用システム４００の装填プロセスを完了させる。
【００６１】
一旦後退されると、ＵＳＢケーブル４４０は、レセプタクル８０８からの給電される電源分配ブロック８１６等の環境電源に接続することができる。ユーザは、モバイルブロードバンドデバイス充電ケーブル８０４を、所望の長さまで引っ張り、巻き戻すために放されるまでロックして、モバイルブロードバンドデバイス８０２に接続することができる。巻き戻すために放すには、モバイルデバイス充電ケーブル８０４を素早く引っ張る必要がある。図１７を参照すると、巻き戻しアセンブリ４００は、モバイルブロードバンドデバイス８０２と共に使用されるように図示されている。図１７において、巻き戻しアセンブリ４００はキャビネット下のモバイルブロードバンドデバイス用の充電および使用システムから独立して使用されており、巻き戻しアセンブリ４００はキッチンカウンタートップ８１０の上に置かれている。
【００６２】
モバイルブロードバンドデバイスの充電ケーブル巻き戻しおよび使用システム５００（巻き戻しアセンブリ５００）に関した本発明の第２実施形態は、図２４と、図２５と、図２６と、図２７と、図２８と、図２９とに示される。巻き戻しデバイス５００は、ＵＳＢ  Ｔｙｐｅ−Ｂ、ＵＳＢ  Ｔｙｐｅ−Ｃ、ＵＳＢ  Ｍｉｎｉ−ＡおよびＭｉｎｉ−Ｂ、ＵＳＢ  Ｍｉｃｒｏ−ＡおよびＭｉｃｒｏ−、Ｄ−ｓｕｂ等の追加のコネクタタイプに組み込まれるように構成され得る。この方法は、ユーザ供給のモバイルブロードバンドデバイス充電ケーブル８０４の装填を伴う。
【００６３】
上側スプール溝付きフランジ５０２および下側スプールフランジ部５２４は、アセンブリの構造を提供するネジにより互いに固定される。図２５に提示された実施形態において、上側スプール溝付きフランジ５０２および下側スプールフランジ部５２４はネジを使用して互いに固定されるが、２つのスプールフランジ部は、リベット、クリップ、化学接着剤等の締め付けるためのいくつかの利用可能な手段の何れかにより接続されてよい。上側スプール溝付きフランジ５０２および下側スプールフランジ部５２４にはさまれるものは、上部溝付きグロメット５０４、充電ケーブル用フルスプール５０６、中央スプールフランジ部５１０、巻き戻しばね収納部／ラチェットホイール５１２、ウェーブディスクスプリング５１６、ストリングスプール５２０および下部グロメット５２２を含むスタックアセンブリ（スタック）である。
【００６４】
巻き戻しばね収納部／ラチェットホイール５１２は、ばね鋼巻き戻し部５１４を収納する。巻き戻し線５１８は、ストリングスプール５２０の周りに巻き付けられる。ストリング引き手５３６は、ストリングのユーザ側の端部に取り付けられる。プランジャ５２６はウェーブディスクスプリング５１６を加圧し、巻き戻しばね収納部／ラチェットホイール５１２とストリングスプール５２０の同時回転のために巻き戻しばね収納部／ラチェットホイール５１２とストリングスプール２２０を係合する。
【００６５】
一端において、ばね鋼巻き戻し部５１４は巻き戻しばね収納部／ラチェットホイール５１２内の溝に挿入され、他端においては、下側スプールフランジ部５２４内の溝に挿入される。スタックの回転は、ばね鋼を巻く。
【００６６】
爪５２８は爪マウント５３２の上に装着される。トーションばね５３０は、スター・ホイール５３４に対してラチェットするための爪５２８の張力を保持し、爪５２８のロックを可能にする。ロックされた爪５２８は、巻き戻しばね収納部／ラチェットホイール５１２の複数の歯を係合する。
【００６７】
上側スプール溝付きフランジ５０２および下側スプールフランジ部５２４は、回転スタックを支持する単一固定構造を生成するために接合される。上部溝付きグロメット５０４は、モバイルブロードバンドデバイス充電ケーブル８０４の周りの回転を提供し、アセンブリの上面のスタックの回転を収容する。スタックの底部の回転は、下部グロメット５２２により収容される。
【００６８】
モバイルブロードバンドデバイスの充電ケーブル巻き戻しおよび使用システム５００のパーツは、射出成形されたポリマーが好ましい。アルミニウム、鋼鉄、デジタル印刷されたポリマー等の他の材料、デジタル印刷等の製造方法をパーツの製造に使用することができる。巻き戻し線５１８は、小径と高抗張力を有する。巻き戻し線の好ましい材料は、ナイロン、ポリエチレン、ポリエチレン、被覆金属線等を含む。
【００６９】
モバイルブロードバンドデバイスの充電ケーブル巻き戻しおよび使用システム５００の動作を準備するために、まず、ユーザのモバイルブロードバンドデバイス充電ケーブル８０４を装填する必要がある。
【００７０】
各々が約３インチ（７．６２センチメートル）の直径、下側スプールフランジ部５０２の基部から上側フランジ部５２４の上面まで約０．７３インチ（１．８５４２センチメートル）の高さを有する上側スプールフランジ部５２４および下側スプールフランジ部５０２を有する巻き戻しアセンブリ５００は、長さ４０インチ（１０１．６センチメートル）、直径０．０１インチまで（０．０２５４センチメートル）の充電ケーブル８０４を収容できる。
【００７１】
２つ目の巻き戻しアセンブリ５００の実施形態において、ユーザはウェーブディスクスプリング５１６を加圧するためにプランジャ５２６を押して、巻き戻しばね収納部／ラチェットホイール５１２とストリングスプール５２０の同時回転のために、ストリングスプール５２０と巻き戻しばね収納部／ラチェットホイール５１２を係合する。ユーザは、巻き戻し線５１８をほどくために、モバイルブロードバンドデバイス充電ケーブル８０４の所望の巻き戻し長までにストリング引き手５３６を引っ張る。ユーザは、上側スプール溝付きフランジ５０２の溝と上部溝付きグロメット５０４の溝を整列させる。ユーザは、モバイルブロードバンドデバイス充電ケーブル８０４を上側スプール溝付きフランジ５０２の溝および上部溝付きグロメット５０４の溝に挿入して、上部溝付きグロメット５０４から所望の長さが出るように残す。ユーザは、ストリング引き手５３６を放してストリングスプール５２０および充電ケーブル用フルスプール５０６の逆回転を可能にする。その結果は、巻き戻し線５１８および充電ケーブル８０４の完全な後退である。ユーザは、プランジャ５２６を放してモバイルブロードバンドデバイスの充電ケーブル巻き戻し部５００の装填プロセスを完了させる。
【００７２】
一旦後退されると、上部溝付きグロメット５０４から出るモバイルブロードバンドデバイス充電ケーブル８０４の端部は、レセプタクル８０８から給電される電源分配ブロック８１６等の環境電源に接続することができる。ユーザは、モバイルブロードバンドデバイス充電ケーブル８０４の他端を所望の長さまで引っ張り、巻き戻すために放されるまでロックして、モバイルブロードバンドデバイス８０２に接続することができる。巻き戻すために放すには、モバイルデバイス充電ケーブル８０４を素早く引っ張る必要がある。モバイルブロードバンドデバイスの充電ケーブル巻き戻しおよび使用システム６００（巻き戻しアセンブリ６００）に関した本発明の第３の実施形態は、図３０と、図３１と、図３２と、図３３と、図３４とに示される。巻き戻しデバイス６００は、ＵＳＢ  Ｔｙｐｅ−Ｂ、ＵＳＢ  Ｔｙｐｅ−Ｃ、ＵＳＢ  Ｍｉｎｉ−ＡおよびＭｉｎｉ−Ｂ、ＵＳＢ  Ｍｉｃｒｏ−ＡおよびＭｉｃｒｏ−、Ｄ−ｓｕｂ等の追加のコネクタタイプを組み込むために構成され得る。この方法は、モバイルブロードバンドデバイス充電ケーブル８０４に差し込まれられるＵＳＢレセプタクル６３８の使用を伴う。上側スプールフランジ部６０２および下側スプールフランジ部６２４は、アセンブリの構造を提供するネジにより互いに固定される。図３１に提示された実施形態において、上側スプールフランジ部６０２および下側スプールフランジ部６２４がネジを使用して互いに固定されると説明されているが、２つのスプールフランジ部はリベット、クリップ、化学接着剤等、締め付けのためのいくつかの利用可能な手段の何れかにより接続されてよい。上側スプールフランジ部６０２および下側スプールフランジ部６２４にはさまれるのは、上部グロメット６０４、充電ケーブル用ハーフスプール６０６、中央スプールフランジ部６１０ｍ巻き戻しばね収納部／ラチェットホイール６１２、ウェーブディスクスプリング６１６、ストリングスプール６２０、下部グロメット６２２を含むスタックアセンブリ（スタック）である。巻き戻しばね収納部／ラチェットホイール６１２は、ばね鋼巻き戻し部６１４を収納する。巻き戻し線６１８は、ストリングスプール６２０の周りに巻き付けられる。ストリング引き手６３６は、ストリングのユーザ側の端部に取り付けられる。プランジャ６２６は、ウェーブディスクスプリング６１６を加圧し、巻き戻しばね収納部／ラチェットホイール６１２とストリングスプール６２０との同時回転のために、巻き戻しばね収納部／ラチェットホイール６１２とストリングスプール６２０を係合させる。一端において、ばね鋼巻き戻し部６１４は巻き戻しばね収納部／ラチェットホイール６１２の溝に挿入され、他端においては、下側スプールフランジ部６２４の溝に挿入される。スタックの回転は、ばね鋼を巻く。爪６２８は、爪マウント６３２に装着される。トーションばね６３０は、スター・ホイール６３４に対してラチェットするために爪６２８の張力を保持し、爪６２８のロックを可能にする。ロックされた爪６２８は、巻き戻しばね収納部／ラチェットホイール６１２の複数の歯を係合する。ＵＳＢレセプタクル６３８は、モバイルブロードバンドデバイス充電ケーブル８０４に差���込むために充電ケーブル用ハーフスプール６０６から旋回する充電ケーブル用スプール施回部６０８に必須である。ＵＳＢレセプタクル６３８の裏側に配線されるのは、上部グロメット６０４から出ており、上側スプールフランジ部６０２に固定的に取り付けられたＵＳＢケーブル６４０であり、コネクタは環境電源に接続するために外周をわずかに超えて突出している。上側スプールフランジ部６０２および下側スプールフランジ部６２４は、回転スタックを支持する単一固定構造を生成するために接合される。上部グロメット２０４は、ＵＳＢケーブル６４０の周りに回転を提供し、アセンブリの上面のスタックの回転を収容する。スタックの底部の回転は、下部グロメット６２２により収容される。モバイルブロードバンドデバイスの充電ケーブル巻き戻しおよび使用システム６００のパーツは、射出成形によるものが好ましい。他の材料および製造方法をパーツの製造に使用することができる。巻き戻し線６１８は、小径と高抗張力を有する。巻き戻し線の好ましい材料は、ナイロン、ポリエチレン、ポリエチレン、被覆金属線等を含む。動作させるべくモバイルブロードバンドデバイスの充電ケーブル巻き戻しおよび使用システム６００を準備するために、まず、ユーザのモバイルブロードバンドデバイス充電ケーブル８０４を装填する必要がある。各々が約３インチ（７．６２センチメートル）の直径、下側スプールフランジ部６０２の基部から上側フランジ部６２４の上面まで約０．７３インチ（１．８５４２センチメートル）の高さを有する上側スプールフランジ部６２４および下側スプールフランジ部６０２を有する巻き戻しアセンブリ６００は、長さ４０インチ（１０１．６センチメートル）、直径０．０１インチ（０．０２５４センチメートル）までの充電ケーブル８０４を収容する。
【００７３】
第３の巻き戻しデバイス６００の実施形態において、ユーザはウェーブディスクスプリング６１６を加圧するためにプランジャ６２６を押して、巻き戻しばね収納部／ラチェットホイール６１２とストリングスプール６２０との同時回転のために、ストリングスプール６２０を巻き戻しばね収納部／ラチェットホイール６１２と係合する。ユーザは、巻き戻し線６１８をほどくために、モバイルブロードバンドデバイス充電ケーブル８０４を所望の巻き戻し長までストリング引き手６３６を引っ張る。蝶つがい式充電ケーブル用スプール施回部６０８は、充電ケーブル用ハーフスプール６０６から揺れて、モバイルブロードバンドデバイス充電ケーブル８０４に差し込まれるＵＳＢレセプタクル６３８を露出させる。充電ケーブル用スプール施回部６０８を閉めた後、ユーザはストリング引き手６３６を放し、ストリングスプール６２０、充電ケーブル用ハーフスプール６０６、充電ケーブル用スプール施回部６０８の逆回転を可能にする。その結果は、巻き戻し線６１８および充電ケーブル８０４の完全な後退である。ユーザは、プランジャ６２６を放してモバイルブロードバンドデバイスの充電ケーブル巻き戻し部６００の装填プロセスを完了させる。一旦後退されると、ＵＳＢケーブル２４０はレセプタクル８０８から給電される電源分配ブロック８１６等の環境電源に接続することができる。ユーザは、モバイルブロードバンドデバイス充電ケーブル８０４を所望の長さまで引っ張り、巻き戻すために放されるまでロックして、モバイルブロードバンドデバイス８０２に接続することができる。巻き戻すために放すには、モバイルデバイス充電ケーブル８０４を素早く引っ張る必要がある。ＵＳＢケーブル６４０は上側スプールフランジ部６０２に固定的に取り付けられているため、モバイルブロードバンドデバイスの充電ケーブル巻き戻しおよび使用システム６００は環境電源にしっかり対応される。
【００７４】
図示されていない他の好ましい実施形態において、巻き戻しデバイスはハンドルを有し、ハンドルはスプールを手動で回転させるために使用されてよい。当業者の認識のように、ハンドルは固定位置に設けられてよいし、またはハンドルが使用中でない時にハンドルを９０度に回転して巻き戻しデバイスに立てかけるようにレバーのように動かしてよい。
【００７５】
さらに別の他の好ましい実施形態において、巻き戻しデバイスは小さな電動機を有してよく、電動機は容易に入手可能手段を介してスプールに装着され、スプールを巻くことおよびほどくことを可能にする。
【００７６】
図示されていない別の実施形態において、巻き戻しデバイスは、チューブ、ホース、チェーン、線材等の巻付性のある他の材料を格納目的で使用し巻き戻すように構成されてよい。
【００７７】
本発明の別の実施形態において、巻き戻しアセンブリ５００は、３．５ｍｍのＴＲＲＳまたはＴＲＲＲＳ電話コネクタに提供されたイヤバッドケーブル等の多くの消費者電子デバイスケーブルの何れか１つを装填する。運動愛好家は、デバイスケーブルが身体活動を妨げることを防止するためにデバイスを使用することができる。ケーブルの適切な装填は、コードの絡み合いを排除しながらのデバイスの使用を可能にする。さらに本発明の別の実施形態においては、巻き戻しアセンブリは３．５ｍｍＴＲＲＳおよびＴＲＲＲＳのようなステレオヘッドフォンプラグ等の消費者電子デバイスケーブルと共に使用できる。ユーザは、図１６から図３４に図示される実施形態と同様に、巻き戻しアセンブリの周りにケーブルを巻く。ユーザは、巻き戻しアセンブリからほどくために、巻き戻し線を使用して適切な長さのケーブルを装填する。これにより、所望のデバイスの使用のために様々な長さの必要なケーブルを収容することが可能になる。例えば、ジョガーは、ジョギングの間にケーブルがユーザの肢にかかる等の引っかかる危険の発生を防ぐために必要なケーブルのみを配備しながらも、イヤバッドとスマートフォンを使用して音楽またはオーディオブックを聴くことができ、ポケットに電話を確実に入れることができ、イヤバッドをユーザの耳に快適にフィットさせるために正しい長さのスピーカケーブルを選ぶ。図３５に図示される本発明の実施形態を参照すると、好ましいキャビネット下のモバイルブロードバンドデバイス用の充電および使用システム７００（充電および使用システム７００）は、図４による充電および使用システム１００と同様で、システム収納部１０２に対してシステム収納部７０２の前面にカットアウトがあるのは例外とする。このカットアウトは、充電および使用システム７００の２つの棚を拡張する余裕の少ない空間でシステムを使用することを可能にする。いくつかの本発明の複数の実施形態、上述の使用方法、およびその利点を詳しく説明したが、添付の請求項により明示された発明の精神および範囲から離れることのない様々な変化、置換および変更を行うことができるということを理解する必要がある。本発明の原理の説明に使用して様々な実施形態は、単なる方法の例示であって、発明の範囲を制限するものと解釈してはいけない。本発明の原理は、適切に用意された任意のデバイスにおいて実装され得ることを当業者の人々は理解するであろう。
【図１Ａ】
2019537922.tif 000003
【図１Ｂ】
2019537922.tif 000004
【図２Ａ】
2019537922.tif 000005
【図２Ｂ】
2019537922.tif 000006
【図２Ｃ】
2019537922.tif 000007
【図３Ａ】
2019537922.tif 000008
【図３Ｂ】
2019537922.tif 000009
【図４】
2019537922.tif 000010
【図５】
2019537922.tif 000011
【図６】
2019537922.tif 000012
【図７】
2019537922.tif 000013
【図８】
2019537922.tif 000014
【図９】
2019537922.tif 000015
【図１０】
2019537922.tif 000016
【図１１】
2019537922.tif 000017
【図１２】
2019537922.tif 000018
【図１３】
2019537922.tif 000019
【図１４】
2019537922.tif 000020
【図１５】
2019537922.tif 000021
【図１６】
2019537922.tif 000022
【図１７】
2019537922.tif 000023
【図１８】
2019537922.tif 000024
【図１９】
2019537922.tif 000025
【図２０】
2019537922.tif 000026
【図２１】
2019537922.tif 000027
【図２２】
2019537922.tif 000028
【図２３】
2019537922.tif 000029
【図２４】
2019537922.tif 000030
【図２５】
2019537922.tif 000031
【図２６】
2019537922.tif 000032
【図２７】
2019537922.tif 000033
【図２８】
2019537922.tif 000034
【図２９】
2019537922.tif 000035
【図３０】
2019537922.tif 000036
【図３１】
2019537922.tif 000037
【図３２】
2019537922.tif 000038
【図３３】
2019537922.tif 000039
【図３４】
2019537922.tif 000040
【図３５】
2019537922.tif 000041
【国際調査報告】
2019537922.tif 000042